(57)【要約】【課題】電極の１つのタブに電流が集中することを抑制できる蓄電装置を提供する。【解決手段】蓄電装置１００は、シート状の正極３０とシート状の負極４０とがセパレータ５０を介して交互に積層された積層型の電極組立体２０を備える。正極３０は、正極本体３２と、正極本体３２の縁３２ａから突出する複数の正極タブ３４とを有する。負極４０は、負極本体４２と、負極本体４２の縁４２ａから突出する複数の負極タブ４４とを有する。正極タブ３４及び負極タブ４４は、電極組立体２０における同じ側に突出している。【選択図】図１
2017216105.tif 000002
【特許請求の範囲】
【請求項１】
シート状の正極とシート状の負極とがセパレータを介して交互に積層された積層型の電極組立体を備え、
前記正極は、正極本体と、前記正極本体の縁から突出する少なくとも１つの正極タブと、を有し、
前記負極は、負極本体と、前記負極本体の縁から突出する少なくとも１つの負極タブと、を有し、
前記少なくとも１つの正極タブ及び前記少なくとも１つの負極タブは、前記電極組立体における同じ側に突出しており、
前記少なくとも１つの正極タブ及び前記少なくとも１つの負極タブのうちの少なくとも一方が、複数のタブである、蓄電装置。
【請求項２】
前記正極が、複数の正極タブを有する、請求項１に記載の蓄電装置。
【請求項３】
前記負極が、複数の負極タブを有する、請求項２に記載の蓄電装置。
【請求項４】
前記複数の正極タブの数が、前記複数の負極タブの数と同じである、請求項３に記載の蓄電装置。
【請求項５】
前記正極及び前記負極の積層方向から見て、前記少なくとも１つの正極タブ及び前記少なくとも１つの負極タブのうちの１つのタブが、前記正極本体の前記縁における一端に位置しており、
前記一端に位置する前記１つのタブの幅が、前記少なくとも１つの正極タブ及び前記少なくとも１つの負極タブのうちの他の１つのタブの幅と異なっている、請求項１〜４のいずれか一項に記載の蓄電装置。
【請求項６】
前記正極及び前記負極の積層方向から見て、前記少なくとも１つの正極タブ及び前記少なくとも１つの負極タブのうちの２つのタブが、前記正極本体の前記縁における両端にそれぞれ位置しており、
前記両端に位置する前記２つのタブの幅のそれぞれが、前記少なくとも１つの正極タブ及び前記少なくとも１つの負極タブのうちの他の１つのタブの幅と異なっている、請求項１〜５のいずれか一項に記載の蓄電装置。
【請求項７】
前記両端に位置する前記２つのタブの幅のそれぞれが、前記少なくとも１つの正極タブ及び前記少なくとも１つの負極タブのうちの他の１つのタブの幅よりも小さい、請求項６に記載の蓄電装置。
【請求項８】
前記両端に位置する前記２つのタブの幅のそれぞれが、前記少なくとも１つの正極タブ及び前記少なくとも１つの負極タブのうちの他のタブの幅の半分である、請求項７に記載の蓄電装置。
【請求項９】
前記蓄電装置がニッケル水素二次電池である、請求項１〜８のいずれか一項に記載の蓄電装置。
【発明の詳細な説明】
【技術分野】
【０００１】
本発明は、蓄電装置に関する。
【背景技術】
【０００２】
正極タブを有するシート状の正極と負極タブを有するシート状の負極とがセパレータを介して交互に積層された積層型の電極組立体を備える二次電池が知られている（特許文献１参照）。この電極組立体では、１枚の正極が１つの正極タブを有し、１枚の負極が１つの負極タブを有しており、正極タブ及び負極タブが同じ側に突出している。正極タブ及び負極タブは、正極及び負極の積層方向から見て、重ならないように配置されている。
【先行技術文献】
【特許文献】
【０００３】
【特許文献１】特表２０１３−５３４３６１号公報
【発明の概要】
【発明が解決しようとする課題】
【０００４】
上記電極組立体では、各正極において正極本体から正極タブに電流が流れる際に、１つの正極タブに電流が集中する。同様に、各負極においても１つの負極タブに電流が集中する。
【０００５】
本発明の一側面は、電極の１つのタブに電流が集中することを抑制できる蓄電装置を提供することを目的とする。
【課題を解決するための手段】
【０００６】
本発明の一側面に係る蓄電装置は、シート状の正極とシート状の負極とがセパレータを介して交互に積層された積層型の電極組立体を備え、前記正極は、正極本体と、前記正極本体の縁から突出する少なくとも１つの正極タブと、を有し、前記負極は、負極本体と、前記負極本体の縁から突出する少なくとも１つの負極タブと、を有し、前記少なくとも１つの正極タブ及び前記少なくとも１つの負極タブは、前記電極組立体における同じ側に突出しており、前記少なくとも１つの正極タブ及び前記少なくとも１つの負極タブのうちの少なくとも一方が、複数のタブである。
【０００７】
この蓄電装置では、正極及び負極のうちの少なくとも一方の電極が複数のタブを有しているので、複数のタブを有している電極において、電流を複数のタブに分散することができる。そのため、電極の１つのタブに電流が集中することを抑制できる。
【０００８】
前記正極が、複数の正極タブを有してもよい。
【０００９】
そのような場合であっても、電流を複数の正極タブに分散することができる。
【００１０】
前記負極が、複数の負極タブを有してもよい。
【００１１】
この場合、負極においても複数の負極タブに電流を分散することができる。
【００１２】
前記複数の正極タブの数が、前記複数の負極タブの数と同じであってもよい。
【００１３】
この場合、正極タブと負極タブの数が異なる場合に比べて、正極及び負極における電流分布のムラを小さくすることができる。
【００１４】
前記正極及び前記負極の積層方向から見て、前記少なくとも１つの正極タブ及び前記少なくとも１つの負極タブのうちの１つのタブが、前記正極本体の前記縁における一端に位置しており、前記一端に位置する前記１つのタブの幅が、前記少なくとも１つの正極タブ及び前記少なくとも１つの負極タブのうちの他の１つのタブの幅と異なってもよい。正極タブの幅は、正極本体の縁における幅である。負極タブの幅は、負極本体の縁における幅である。
【００１５】
この場合、一端に位置するタブの幅を調整することによって、当該タブに集中する電流量を調整することができる。
【００１６】
前記正極及び前記負極の積層方向から見て、前記少なくとも１つの正極タブ及び前記少なくとも１つの負極タブのうちの２つのタブが、前記正極本体の前記縁における両端にそれぞれ位置しており、前記両端に位置する前記２つのタブの幅のそれぞれが、前記少なくとも１つの正極タブ及び前記少なくとも１つの負極タブのうちの他の１つのタブの幅と異なってもよい。
【００１７】
この場合、両端に位置する２つのタブの幅のそれぞれを調整することによって、各タブに集中する電流量を調整することができる。
【００１８】
前記両端に位置する前記２つのタブの幅のそれぞれが、前記少なくとも１つの正極タブ及び前記少なくとも１つの負極タブのうちの他の１つのタブの幅よりも小さくてもよい。
【００１９】
通常、正極本体及び負極本体の縁における両端には電流が集中し易い。そのような場合であっても、両端に位置する２つのタブの幅のそれぞれを小さくことによって、両端に位置する２つのタブのそれぞれに流れる電流量を小さくすることができる。
【００２０】
前記両端に位置する前記２つのタブの幅のそれぞれが、前記少なくとも１つの正極タブ及び前記少なくとも１つの負極タブのうちの他のタブの幅の半分であってもよい。
【００２１】
この場合、両端に位置する２つのタブのそれぞれに流れる電流量を更に小さくすることができる。
【００２２】
前記蓄電装置がニッケル水素二次電池であってもよい。
【発明の効果】
【００２３】
本発明の一側面によれば、電極の１つのタブに電流が集中することを抑制できる蓄電装置が提供され得る。
【図面の簡単な説明】
【００２４】
【図１】第１実施形態に係る蓄電装置を模式的に示す部分断面図である。
【図２】図１の蓄電装置が備える電極組立体を模式的に示す分解斜視図である。
【図３】第２実施形態に係る蓄電装置の電極組立体を模式的に示す平面図である。
【図４】第３実施形態に係る蓄電装置の電極組立体を模式的に示す平面図である。
【図５】第４実施形態に係る蓄電装置の電極組立体を模式的に示す平面図である。
【図６】正極におけるＳＯＣの分布のシミュレーション結果の例を示す図である。
【図７】正極におけるＳＯＣの分布のシミュレーション結果の例を示す図である。
【発明を実施するための形態】
【００２５】
以下、添付図面を参照しながら本発明の実施形態が詳細に説明される。図面の説明において、同一又は同等の要素には同一符号が用いられ、重複する説明は省略される。
【００２６】
（第１実施形態）
図１は、第１実施形態に係る蓄電装置を模式的に示す部分断面図である。図２は、図１の蓄電装置が備える電極組立体を模式的に示す分解斜視図である。図１及び図２には、ＸＹＺ直交座標系が示される。
【００２７】
図１に示される蓄電装置１００は、例えばニッケル水素二次電池等の二次電池である。蓄電装置１００は、フォークリフト、ハイブリッド自動車、電気自動車等の車両に搭載され得る。蓄電装置１００は、密閉構造を有する角型電池であってもよい。蓄電装置１００は、ケース１０と、ケース１０内に収容された電極組立体２０とを備え得る。ケース１０が例えば金属製のケースである場合、ケース１０には、絶縁リング１４を介して正極端子１２が取り付けられ、絶縁リング１８を介して負極端子１６が取り付けられ得る。ケース１０が例えば樹脂等の絶縁材料製のケースである場合、絶縁リング１４，１８は不要になる。１つの電極組立体２０が単セルを構成し、複数の電極組立体２０が、ケース１０の一部である隔壁を介してＹ軸方向に配列されてもよい。この場合、Ｙ軸方向における一端の電極組立体２０が正極端子１２に接続され、Ｙ軸方向における他端の電極組立体２０が負極端子１６に接続される。隣り合う電極組立体２０同士は、隔壁を貫通するバスバー等の接続部材を介して電気的に接続され得る。
【００２８】
電極組立体２０は、シート状の正極３０とシート状の負極４０とがセパレータ５０を介して交互に積層された積層型の電極組立体である。セパレータ５０は、例えばシート状のセパレータであってもよいし、正極３０又は負極４０を収容し得る袋状のセパレータであってもよい。ケース１０内には電解液が充填され得る。電解液としては、例えば水酸化カリウム水溶液等のアルカリ溶液が使用され得る。
【００２９】
正極３０は、正極本体３２と、正極本体３２の縁３２ａから突出する複数の正極タブ３４とを有する。正極本体３２は、金属箔と、金属箔の片面又は両面上に形成された正極活物質層とを含んでもよい。金属箔としては、例えば多孔性のニッケル箔等が使用され得る。正極活物質層は、例えば水酸化ニッケル（Ｎｉ（ＯＨ）２）の粒子を含む。水酸化ニッケル（Ｎｉ（ＯＨ）２）が正極活物質として機能する。正極本体３２は、例えば長尺の矩形形状を有している。縁３２ａは、正極本体３２の長手方向（図１及び図２ではＸ軸方向）に沿って延びている。
【００３０】
複数の正極タブ３４は、縁３２ａと交差する方向（図１及び図２ではＺ軸方向）に突出している。複数の正極タブ３４は、縁３２ａに沿って互いに離間して配列され得る。複数の正極タブ３４の幅は互いに異なってもよい。各正極タブ３４は、正極本体３２の金属箔と一体の金属箔であってもよい。各正極タブ３４は例えば矩形形状を有している。各正極タブ３４には、実質的に活物質層が形成されていない。各正極タブ３４は、導電部材によって正極端子１２に接続され得る。
【００３１】
負極４０は、負極本体４２と、負極本体４２の縁４２ａから突出する複数の負極タブ４４とを有する。負極本体４２は、金属箔と、金属箔の片面又は両面上に形成された負極活物質層とを含んでもよい。金属箔としては、例えば多孔性のニッケル箔、メッシュ状のニッケルめっき鋼板（パンチングメタル）等が使用され得る。負極活物質層は、例えば水素吸蔵合金の粒子を含む。水素吸蔵合金に吸蔵される水素が負極活物質として機能する。負極本体４２は、例えば長尺の矩形形状を有している。縁４２ａは、負極本体４２の長手方向（図１及び図２ではＸ軸方向）に沿って延びている。
【００３２】
複数の負極タブ４４は、縁４２ａと交差する方向（図１及び図２ではＺ軸方向）に突出している。複数の負極タブ４４は、縁４２ａに沿って互いに離間して配列され得る。複数の負極タブ４４の幅は互いに異なってもよいし、複数の正極タブ３４の幅と異なってもよい。各負極タブ４４は、負極本体４２の金属箔と一体の金属箔であってもよい。各負極タブ４４は例えば矩形形状を有している。各負極タブ４４には、実質的に活物質層が形成されていない。各負極タブ４４は、導電部材によって負極端子１６に接続され得る。
【００３３】
正極３０及び負極４０の積層方向（図１及び図２ではＹ軸方向）から見て、複数の正極タブ３４及び複数の負極タブ４４は、重ならないように配置され、正極本体３２の縁３２ａ（又は負極本体４２の縁４２ａ）に沿って交互に配列され得る。隣り合う正極タブ３４と負極タブ４４との間隔は、一定であってもよい。正極３０及び負極４０の積層方向から見て、正極本体３２と負極本体４２とは重なってもよい。この場合、正極本体３２の縁３２ａは負極本体４２の縁４２ａと重なっている。
【００３４】
複数の正極タブ３４の数は、複数の負極タブ４４の数と同じであってもよいし、異なってもよい。図１及び図２に示される複数の正極タブ３４の数は３個であるが、２個でもよいし４個以上であってもよい。同様に、図１及び図２に示される複数の負極タブ４４の数は３個であるが、２個でもよいし４個以上であってもよい。
【００３５】
正極３０及び負極４０の積層方向から見て、複数の負極タブ４４のうちの１つの負極タブ４４が、正極本体３２の縁３２ａにおける一端３２ｂ（又は負極本体４２の縁４２ａにおける一端４２ｂ）に位置してもよい。正極３０及び負極４０の積層方向から見て、複数の正極タブ３４のうちの１つの正極タブ３４が、正極本体３２の縁３２ａにおける他端３２ｃ（又は負極本体４２の縁４２ａにおける他端４２ｃ）に位置してもよい。正極３０及び負極４０の積層方向から見て、１つの負極タブ４４及び１つの正極タブ３４が、正極本体３２の縁３２ａにおける両端３２ｂ，３２ｃ（又は負極本体４２の縁４２ａにおける両端４２ｂ，４２ｃ）にそれぞれ位置してもよい。すなわち、互いに極性の異なるタブが両端３２ｂ，３２ｃに配置されてもよい。
【００３６】
正極本体３２の縁３２ａにおける一端３２ｂ（又は一端４２ｂ）に位置する１つの負極タブ４４の幅Ｄ１は、複数の正極タブ３４及び複数の負極タブ４４のうちの他の１つのタブの幅（例えば他の負極タブ４４の幅Ｄ２又は両端３２ｂ，３２ｃよりも内側に位置する正極タブ３４の幅Ｄ４）と異なってもよいし、当該他の１つのタブの幅よりも小さくてもよいし、当該他の１つのタブの幅の半分でもよい。正極タブ３４の幅Ｄ４は負極タブ４４の幅Ｄ２と同じであってもよい。両端３２ｂ，３２ｃよりも内側に位置する複数の負極タブ４４の幅Ｄ２が互いに異なってもよい。両端３２ｂ，３２ｃよりも内側に位置する複数の正極タブ３４の幅Ｄ４が互いに異なってもよい。
【００３７】
正極本体３２の縁３２ａにおける他端３２ｃ（又は他端４２ｃ）に位置する１つの正極タブ３４の幅Ｄ３は、複数の正極タブ３４及び複数の負極タブ４４のうちの他の１つのタブの幅（例えば他の正極タブ３４の幅Ｄ４又は両端３２ｂ，３２ｃよりも内側に位置する負極タブ４４の幅Ｄ２）と異なってもよいし、当該他の１つのタブの幅よりも小さくてもよいし、当該他の１つのタブの幅の半分でもよい。正極タブ３４の幅Ｄ３は負極タブ４４の幅Ｄ１と同じであってもよい。
【００３８】
第１実施形態の蓄電装置１００では、正極３０が複数の正極タブ３４を有しているので、正極３０において、電流を複数の正極タブ３４に分散することができる。そのため、１つの正極タブ３４に電流が集中することを抑制できる。正極タブ３４の数を増やすと、正極３０における電流分布のムラを比較的小さくすることができる。その結果、充放電効率の悪化を抑制し、局所的な寿命劣化を抑制することができる。
【００３９】
さらに、蓄電装置１００では、負極４０が複数の負極タブ４４を有しているので、負極４０においても、電流を複数の負極タブ４４に分散することができる。そのため、１つの負極タブ４４に電流が集中することを抑制できる。負極タブ４４の数を増やすと、負極４０における電流分布のムラを比較的小さくすることができる。その結果、充放電効率の悪化を抑制し、局所的な寿命劣化を抑制することができる。
【００４０】
また、複数の正極タブ３４の数が複数の負極タブ４４の数と同じであると、正極タブ３４と負極タブ４４の数が異なる場合に比べて、正極３０及び負極４０における電流分布のムラを小さくすることができる。
【００４１】
また、第１実施形態では、正極３０及び負極４０の積層方向から見て正極本体３２の縁３２ａにおける一端３２ｂに位置する負極タブ４４の幅Ｄ１が、他の負極タブ４４の幅Ｄ２又は両端３２ｂ，３２ｃよりも内側に位置する正極タブ３４の幅Ｄ４と異なっている。この場合、一端３２ｂに位置する負極タブ４４の幅Ｄ１を調整することによって、当該負極タブ４４に集中する電流量を調整することができる。一端３２ｂには電流が集中し易いが、一端３２ｂに位置する負極タブ４４の幅Ｄ１を小さくすることによって、一端３２ｂに位置する負極タブ４４に流れる電流量を、他の負極タブ４４に流れる電流量に比べて小さくすることができる。
【００４２】
同様に、第１実施形態では、正極３０及び負極４０の積層方向から見て正極本体３２の縁３２ａにおける他端３２ｃに位置する正極タブ３４の幅Ｄ３が、他の正極タブ３４の幅Ｄ４又は両端３２ｂ，３２ｃよりも内側に位置する負極タブ４４の幅Ｄ２と異なっている。この場合、他端３２ｃに位置する正極タブ３４の幅Ｄ３を調整することによって、当該正極タブ３４に集中する電流量を調整することができる。他端３２ｃには電流が集中し易いが、他端３２ｃに位置する正極タブ３４の幅Ｄ３を小さくすることによって、他端３２ｃに位置する正極タブ３４に流れる電流量を、他の正極タブ３４に流れる電流量に比べて小さくすることができる。
【００４３】
一端３２ｂに位置する負極タブ４４の幅Ｄ１を他の負極タブ４４の幅Ｄ２の半分にし、他端３２ｃに位置する正極タブ３４の幅Ｄ３を他の正極タブ３４の幅Ｄ４の半分にし、他の負極タブ４４の幅Ｄ２と他の正極タブ３４の幅Ｄ４とを同じにすると、他の負極タブ４４の幅Ｄ２の中心軸及び他の正極タブ３４の幅Ｄ４の中心軸に対して、正極３０及び負極４０における電流分布をほぼ左右対称にすることができる。
【００４４】
（第２実施形態）
図３は、第２実施形態に係る蓄電装置の電極組立体を模式的に示す平面図である。第２実施形態に係る蓄電装置は、電極組立体２０に代えて図３に示される電極組立体１２０を備えること以外は第１実施形態の蓄電装置１００と同じ構成を備える。図３には、図１及び図２と同じＸＹＺ直交座標系が示されている。
【００４５】
電極組立体１２０は、一端３２ｂに位置する負極タブ４４の幅及び他端３２ｃに位置する正極タブ３４の幅が異なること以外は電極組立体２０と同じ構成を備える。電極組立体１２０では、一端３２ｂに位置する負極タブ４４の幅Ｄ２は、他の負極タブ４４の幅Ｄ２と同じである。他端３２ｃに位置する正極タブ３４の幅Ｄ４は、他の正極タブ３４の幅Ｄ４と同じである。
【００４６】
第２実施形態においても、第１実施形態と同様の作用効果が得られる。
【００４７】
（第３実施形態）
図４は、第３実施形態に係る蓄電装置の電極組立体を模式的に示す平面図である。第３実施形態に係る蓄電装置は、電極組立体２０に代えて図４に示される電極組立体２２０を備えること以外は第１実施形態の蓄電装置１００と同じ構成を備える。図４には、図１〜図３と同じＸＹＺ直交座標系が示されている。
【００４８】
電極組立体２２０は、複数の正極タブ３４及び複数の負極タブ４４に代えて１つの正極タブ２３４及び複数の負極タブ２４４を備えること以外は電極組立体２０と同じ構成を備える。電極組立体２２０では、複数の負極タブ２４４が、正極本体３２の縁３２ａの両端３２ｂ，３２ｃに配置され、正極タブ２３４が複数の負極タブ２４４間に配置される。各負極タブ２４４の幅Ｄ５は、正極タブ２３４の幅Ｄ６よりも大きく、例えば幅Ｄ６の２倍である。
【００４９】
第３実施形態では、負極４０が複数の負極タブ２４４を有しているので、負極４０においても、電流を複数の負極タブ２４４に分散することができる。そのため、１つの負極タブ２４４に電流が集中することを抑制できる。したがって、負極４０における電流分布のムラを比較的小さくすることができる。
【００５０】
（第４実施形態）
図５は、第４実施形態に係る蓄電装置の電極組立体を模式的に示す平面図である。第４実施形態に係る蓄電装置は、電極組立体２０に代えて図５に示される電極組立体３２０を備えること以外は第１実施形態の蓄電装置１００と同じ構成を備える。図５には、図１〜図４と同じＸＹＺ直交座標系が示されている。
【００５１】
電極組立体３２０は、複数の正極タブ３３４が、正極本体３２の縁３２ａの両端３２ｂ，３２ｃに配置され、負極タブ３４４が複数の正極タブ３３４間に配置されること以外は第３実施形態の電極組立体２２０と同じ構成を備える。
【００５２】
電極組立体３２０では、各正極タブ３３４の幅Ｄ７が、負極タブ３４４の幅Ｄ８よりも大きく、例えば幅Ｄ８の２倍である。
【００５３】
第４実施形態では、正極３０が複数の正極タブ３３４を有しているので、正極３０において、電流を複数の正極タブ３３４に分散することができる。そのため、１つの正極タブ３３４に電流が集中することを抑制できる。したがって、正極３０における電流分布のムラを比較的小さくすることができる。正極３０の方が負極４０と比べて、Ｙ軸方向電気抵抗のＸ軸方向電気抵抗に対する割合が小さいので、Ｘ軸方向に電流が偏り易く、通常、正極３０の方がＸ軸方向に反応ムラ（電流分布のムラ）が大きくなる。そのため、正極タブ３３４の幅Ｄ７が負極タブ３４４の幅Ｄ８よりも大きいと、反応ムラを小さくすることができる。
【００５４】
図６及び図７は、正極におけるＳＯＣ（Ｓｔａｔｅ  Ｏｆ  Ｃｈａｒｇｅ）の分布のシミュレーション結果の例を示す図である。図６は、第１実施形態の電極組立体２０のシミュレーション結果の例を示す。図７は、第２実施形態の電極組立体１２０のシミュレーション結果の例を示す。図６及び図７に示されるシミュレーション結果の例は、Ｎｅｗｍａｎモデルを用いた電気化学シミュレーションにより得られる。図６及び図７に示される正極のＳＯＣの値（％）は、初期の満充電容量を１００％として６．５Ａ放電した時の値である。
【００５５】
図６の例では、各正極タブ３４近傍の領域におけるＳＯＣの値が５０．８８％と最小値になっている。ＳＯＣの値は、各正極タブ３４から離れるに連れて徐々に大きくなるように変化している。正極本体３２を挟んで各負極タブ４４とは反対側の領域（正極タブ３４から最も離れた位置）におけるＳＯＣの値が５８．６２％と最大値になっている。すなわち、正極本体３２において、各正極タブ３４近傍の領域では反応が比較的進んでおり、正極本体３２を挟んで各負極タブ４４とは反対側の領域では反応が比較的進んでいないことが分かる。
【００５６】
図７の例では、正極本体３２の縁３２ａの他端３２ｃに位置する正極タブ３４近傍の領域におけるＳＯＣの値が４９．０３％と最小値になっている。ＳＯＣの値は、各正極タブ３４から離れるに連れてＳＯＣの値が徐々に大きくなるように変化している。正極本体３２を挟んで、正極本体３２の縁３２ａの一端３２ｂに位置する負極タブ４４と反対側の領域（正極本体３２を挟んで他端３２ｃと対角に位置する領域）におけるＳＯＣの値が５８．７７％と最大値になっている。
【００５７】
図６の例では、図７の例に比べて、正極におけるＳＯＣの値のバラつき（最大値と最小値との差）が小さくなっている。よって、図６の例では、図７の例に比べて、正極における電流分布のムラが小さい。また、図６の例では、両端３２ｂ，３２ｃよりも内側に位置する正極タブ３４及び負極タブ４４の中心軸Ａｘに対して、正極における電流分布がほぼ左右対称になっている。
【００５８】
以上、本発明の好適な実施形態について詳細に説明されたが、本発明は上記実施形態に限定されない。
【００５９】
例えば、各実施形態の蓄電装置は、例えばリチウムイオン二次電池等の非水電解質二次電池であってもよいし、例えば電気二重層キャパシタ等であってもよい。
【符号の説明】
【００６０】
２０，１２０，２２０，３２０…電極組立体、３０…正極、３２…正極本体、３２ａ，４２ａ…縁、３２ｂ，４２ｂ…一端、３２ｃ，４２ｃ…他端、３４，２３４，３３４…正極タブ、４０…負極、４２…負極本体、４４，２４４，３４４…負極タブ、５０…セパレータ、１００…蓄電装置。
【図１】
2017216105.tif 000003
【図２】
2017216105.tif 000004
【図３】
2017216105.tif 000005
【図４】
2017216105.tif 000006
【図５】
2017216105.tif 000007
【図６】
2017216105.tif 000008
【図７】
2017216105.tif 000009